(57)【特許請求の範囲】
【請求項１】
情報管理サーバと、複数の業者端末と、複数の電子名札とを備える取引業者情報表示システムであって、
前記情報管理サーバが、ネットワークに接続されており、医療施設を担当する個々の取引業者による当該医療施設内の訪問先への訪問について当該医療施設に勤務する医療従事者または従業員と当該取引業者との面会の予約の有無を示す訪問情報が格納された訪問テーブルを備え、前記業者端末から予約判別情報要求を受信したことに応答して、当該訪問テーブルに格納されている訪問情報に基づいて、当該業者端末を携帯している取引業者が面会の予約を有してまたは当該予約無しに当該予約判別情報要求で指定される医療施設に滞在していることを示す予約判別情報を作成して当該業者端末に送信し、
前記業者端末が、前記取引業者によって携帯される携帯端末であり、前記ネットワークを介して前記情報管理サーバと通信可能であって、当該取引業者が滞在している医療施設の指定を含む前記予約判別情報要求を前記情報管理サーバに送信し、当該予約判別情報要求に応答して前記情報管理サーバによって送信される予約判別情報を受信すると、当該受信された予約判別情報に基づいて面会の予約の有無を示す表示情報を作成し、当該表示情報を前記電子名札に無線で送信し、
前記電子名札が、前記業者端末を携帯する取引業者によって携帯され、当該業者端末と無線で通信可能であって、当該電子名札のディスプレイに当該業者端末から受信した表示情報を表示する、
取引業者情報表示システム。
【請求項２】
情報管理サーバと、複数の業者端末と、複数の電子名札とを備える取引業者情報表示システムであって、
前記情報管理サーバが、ネットワークに接続されており、医療施設を担当する個々の取引業者による当該医療施設内の訪問先への訪問について当該医療施設に勤務する医療従事者または従業員と当該取引業者との面会の予約の有無および当該訪問先を訪問する訪問時間を示す訪問情報が当該取引業者毎に１つ以上格納された訪問テーブルと、前記業者端末から予約判別情報要求を受信したことに応答して、当該予約判別情報要求を受信した時間と当該業者端末を携帯している取引業者の当該訪問テーブルに格納されている各訪問情報に含まれる訪問先への訪問時間とに基づいて訪問情報を特定し、特定された当該訪問情報で示される面会の予約の有無に基づいて当該業者端末を携帯している取引業者が面会の予約を有してまたは当該予約無しに当該予約判別情報要求で指定される医療施設に滞在していることを示す予約判別情報を作成して当該業者端末に送信する滞在情報作成部とを備え、
前記業者端末が、前記取引業者によって携帯される携帯端末であり、前記ネットワークを介して前記情報管理サーバと通信可能であって、前記医療施設に滞在している当該取引業者による前記電子名札の表示の更新指示を受け付けたときに当該取引業者が滞在している医療施設の指定を含む前記予約判別情報要求を前記情報管理サーバに送信し、当該予約判別情報要求に応答して前記情報管理サーバによって送信される予約判別情報を受信する滞在情報取得部と、当該滞在情報取得部によって受信された予約判別情報要求に基づいて面会の予約の有無を示す表示情報を作成する表示情報作成部と、当該表示情報を前記電子名札に無線で送信する表示情報送信部とを備え、
前記電子名札が、前記業者端末を携帯する取引業者によって携帯され、当該業者端末と無線で通信可能であって、当該業者端末から受信した表示情報を表示するディスプレイを有する、
取引業者情報表示システム。
【請求項３】
前記業者端末を携帯する取引業者が前記滞在していた医療施設を退館した時に、前記業者端末が、当該取引業者がどの医療施設にも滞在していないことを示す表示情報を作成し、当該表示情報を前記電子名札に無線で送信する請求項１または２に記載の取引業者情報表示システム。
【請求項４】
前記情報管理サーバが、個々の取引業者が担当する各医療施設を示す担当施設情報が格納された担当施設テーブルと、前記業者端末から担当施設リスト要求を受信したことに応答して、当該担当施設テーブルに格納されている各担当施設情報に基づいて当該業者端末を携帯する取引業者によって担当される各医療施設のリストを作成して当該業者端末に送信する担当施設リスト作成部とを備え、
前記業者端末が、前記担当施設リスト要求を前記情報管理サーバに送信し、前記情報管理サーバから前記リストを受信すると、前記業者端末を携帯する取引業者に当該リストを提示して、当該リストに含まれる各医療施設の中から当該取引業者が滞在している医療施設を選択させる医療施設特定部を備える、
請求項１ないし３のいずれか１項に記載の取引業者情報表示システム。
【請求項５】
前記情報管理サーバが、個々の取引業者が担当する各医療施設を示す担当施設情報が格納された担当施設テーブルと、前記業者端末から医療施設特定要求を受信したことに応答して、当該業者端末の機能を利用して当該業者端末が位置している前記医療施設を特定する業者端末位置特定部と、当該業者端末位置特定部によって当該業者端末が位置すると特定された医療施設が当該業者端末を携帯する取引業者によって担当される医療施設であるか否かを前記担当施設テーブルに格納されている担当施設情報に基づいて判別し、当該医療施設が当該取引業者によって担当される医療施設であると判別された場合に、当該医療施設を特定する医療施設特定情報を当該業者端末に送信する医療施設判別部を備え、
前記業者端末が、前記医療施設特定要求を前記情報管理サーバに送信し、前記情報管理サーバから前記医療施設特定情報を受信すると、受信した当該医療施設特定情報によって特定される医療施設を前記取引業者が滞在している医療施設とする医療施設特定部を備える、
請求項１ないし３のいずれか１項に記載の取引業者情報表示システム。
【発明の詳細な説明】
【技術分野】
【０００１】
本発明は、医療施設に出入りする取引業者によって携帯されるディスプレイ付きの電子名札を含む取引業者情報表示システムに関する。
【背景技術】
【０００２】
特許文献１には、電子名札と、入退場ゲートに配置されたリーダライタと、ホスト端末とを備える電子名札システムが開示されている。電子名札は、表示体（例えば、電子ペーパー）と、通信部と、名札ＩＤが格納された通信記憶部とを備えている。ホスト端末５は、個人情報データが格納されたデータ格納部を備えている。この電子名札システムは、ユーザが入退場ゲートから入場するとき、リーダライタと電子名札の間で通信を確立して、名札ＩＤに基づきホスト端末のデータ格納部から取得した個人情報データを電子名札に転送して表示体で表示する。また、ユーザが入退場ゲートから退場するとき、リーダライタと電子名札との間で通信を確立して、表示体における個人情報の表示を停止する。
【０００３】
特許文献２には、個々の訪問者（ＭＲ等）が医療者と面会する予定の時間または面会した時間を示す面会情報が格納された面会情報テーブルが記載されている。
【先行技術文献】
【特許文献】
【０００４】
【特許文献１】特開２０１７−５８８２８号公報
【特許文献２】特開２０１７−１４２５５７号公報
【発明の概要】
【発明が解決しようとする課題】
【０００５】
医療施設を訪問している取引業者に名札を付けてもらうことにより、その取引業者と廊下等ですれ違った医療従事者等は、名札を見れば取引業者の身元を確認することができる。そして、特許文献１に記載の電子名札システムを用いれば、取引業者が医療施設に入館しているときのみ、電子名札に取引業者の個人情報（例えば、取引業者の名前と会社名）を表示させ、取引業者が医療施設を退館したときには電子名札にその表示を消させることができる。
しかし、廊下等ですれ違った医療従事者等は、名札や電子名札を着用した取引業者がその医療施設の医療従事者等との面会の予約を持って訪問しているか、または飛び込み営業等のために医療従事者等との面会の予約無しに訪問しているかを区別することはできない。
【０００６】
また、廊下等ですれ違った医療従事者等が特許文献２に記載の面会情報テーブルにアクセスすることができれば、その医療従事者等は取引業者による面会の予約の有無を知ることができる。しかし、その医療従事者等は所定の端末等を用いて面会情報テーブルにアクセスしなければならず、手間がかかる。更に、プライバシーの観点から、面会相手ではない医療従事者等にその面会情報テーブルへの無制限のアクセスを許可することは好ましくない。
【０００７】
本発明の目的は、医療施設を訪問中の取引業者とその医療施設に勤務する医療従事者等との面会の予約の有無を周囲の人に知らせることができるディスプレイ付きの電子名札を有する取引業者情報表示システムを提供することである。
【課題を解決するための手段】
【０００８】
上記目的を達成するために、本発明の取引業者情報表示システムは、
情報管理サーバと、複数の業者端末と、複数の電子名札とを備える取引業者情報表示システムであって、
前記情報管理サーバが、ネットワークに接続されており、医療施設を担当する個々の取引業者による当該医療施設内の訪問先への訪問について当該医療施設に勤務する医療従事者または従業員と当該取引業者との面会の予約の有無を示す訪問情報が格納された訪問テーブルを備え、前記業者端末から予約判別情報要求を受信したことに応答して、当該訪問テーブルに格納されている訪問情報に基づいて、当該業者端末を携帯している取引業者が面会の予約を有してまたは当該予約無しに当該予約判別情報要求で指定される医療施設に滞在していることを示す予約判別情報を作成して当該業者端末に送信し、
前記業者端末が、前記取引業者によって携帯される携帯端末であり、前記ネットワークを介して前記情報管理サーバと通信可能であって、当該取引業者が滞在している医療施設の指定を含む前記予約判別情報要求を前記情報管理サーバに送信し、当該予約判別情報要求に応答して前記情報管理サーバによって送信される予約判別情報を受信すると、当該受信された予約判別情報に基づいて面会の予約の有無を示す表示情報を作成し、当該表示情報を前記電子名札に無線で送信し、
前記電子名札が、前記業者端末を携帯する取引業者によって携帯され、当該業者端末と無線で通信可能であって、当該電子名札のディスプレイに当該業者端末から受信した表示情報を表示する。
【０００９】
また、本発明の取引業者情報表示システムは、
情報管理サーバと、複数の業者端末と、複数の電子名札とを備える取引業者情報表示システムであって、
前記情報管理サーバが、ネットワークに接続されており、医療施設を担当する個々の取引業者による当該医療施設内の訪問先への訪問について当該医療施設に勤務する医療従事者または従業員と当該取引業者との面会の予約の有無および当該訪問先を訪問する訪問時間を示す訪問情報が当該取引業者毎に１つ以上格納された訪問テーブルと、前記業者端末から予約判別情報要求を受信したことに応答して、当該予約判別情報要求を受信した時間と当該業者端末を携帯している取引業者の当該訪問テーブルに格納されている各訪問情報に含まれる訪問先への訪問時間とに基づいて訪問情報を特定し、特定された当該訪問情報で示される面会の予約の有無に基づいて当該業者端末を携帯している取引業者が面会の予約を有してまたは当該予約無しに当該予約判別情報要求で指定される医療施設に滞在していることを示す予約判別情報を作成して当該業者端末に送信する滞在情報作成部とを備え、
前記業者端末が、前記取引業者によって携帯される携帯端末であり、前記ネットワークを介して前記情報管理サーバと通信可能であって、前記医療施設に滞在している当該取引業者による前記電子名札の表示の更新指示を受け付けたときに当該取引業者が滞在している医療施設の指定を含む前記予約判別情報要求を前記情報管理サーバに送信し、当該予約判別情報要求に応答して前記情報管理サーバによって送信される予約判別情報を受信する滞在情報取得部と、当該滞在情報取得部によって受信された予約判別情報要求に基づいて面会の予約の有無を示す表示情報を作成する表示情報作成部と、当該表示情報を前記電子名札に無線で送信する表示情報送信部とを備え、
前記電子名札が、前記業者端末を携帯する取引業者によって携帯され、当該業者端末と無線で通信可能であって、当該業者端末から受信した表示情報を表示するディスプレイを有する。
【００１０】
好ましくは、本発明の取引業者情報表示システムは、
前記業者端末を携帯する取引業者が前記滞在していた医療施設を退館した時に、前記業者端末が、当該取引業者がどの医療施設にも滞在していないことを示す表示情報を作成し、当該表示情報を前記電子名札に無線で送信する。
【００１１】
好ましくは、本発明の取引業者情報表示システムは、
前記情報管理サーバが、個々の取引業者が担当する各医療施設を示す担当施設情報が格納された担当施設テーブルと、前記業者端末から担当施設リスト要求を受信したことに応答して、当該担当施設テーブルに格納されている各担当施設情報に基づいて当該業者端末を携帯する取引業者によって担当される各医療施設のリストを作成して当該業者端末に送信する担当施設リスト作成部とを備え、
前記業者端末が、前記担当施設リスト要求を前記情報管理サーバに送信し、前記情報管理サーバから前記リストを受信すると、前記業者端末を携帯する取引業者に当該リストを提示して、当該リストに含まれる各医療施設の中から当該取引業者が滞在している医療施設を選択させる医療施設特定部を備える。
【００１２】
好ましくは、本発明の取引業者情報表示システムは、
前記情報管理サーバが、個々の取引業者が担当する各医療施設を示す担当施設情報が格納された担当施設テーブルと、前記業者端末から医療施設特定要求を受信したことに応答して、当該業者端末の機能を利用して当該業者端末が位置している前記医療施設を特定する業者端末位置特定部と、当該業者端末位置特定部によって当該業者端末が位置すると特定された医療施設が当該業者端末を携帯する取引業者によって担当される医療施設であるか否かを前記担当施設テーブルに格納されている担当施設情報に基づいて判別し、当該医療施設が当該取引業者によって担当される医療施設であると判別された場合に、当該医療施設を特定する医療施設特定情報を当該業者端末に送信する医療施設判別部を備え、
前記業者端末が、前記医療施設特定要求を前記情報管理サーバに送信し、前記情報管理サーバから前記医療施設特定情報を受信すると、受信した当該医療施設特定情報によって特定される医療施設を前記取引業者が滞在している医療施設とする医療施設特定部を備える。
【発明の効果】
【００１３】
本発明によれば、医療施設を訪問中の取引業者とその医療施設に勤務する医療従事者等との面会の予約の有無を周囲の人に知らせることができる。
【図面の簡単な説明】
【００１４】
【図１】本発明の第１の実施形態に係る取引業者情報表示システムの構成の一例を示す図である。
【図２】図１の情報管理サーバの構成の一例を示す図である。
【図３】取引業者テーブルの構成の一例を示す図である。
【図４】職員テーブルの構成の一例を示す図である。
【図５】担当施設テーブルの構成の一例を示す図である。
【図６】訪問テーブルの構成の一例を示す図である。
【図７】第１の実施形態に係る業者端末の構成の一例を示す図である。
【図８】業者端末における入退館画面の一例を示す図である。
【図９】業者端末における入館手続き画面の一例を示す図である。
【図１０】業者端末における訪問先選択画面の一例を示す図である。
【図１１】訪問先が選択された図１０の訪問先選択画面の一例を示す図である。
【図１２】業者端末における電子名札更新画面の一例を示す図である。
【図１３】医療従事者等との面会の予約を有する取引業者が医療施設に入館しているときの電子名札の表示の一例を示す図である。
【図１４】医療従事者等との面会の予約を有していない取引業者が医療施設に入館しているときの電子名札の表示の一例を示す図である。
【図１５】取引業者が医療施設を退館するときに訪問先を追加するための訪問先追加画面の一例を示す図である。
【図１６】取引業者が医療施設から退館している（どの医療施設にも滞在していない）ときの電子名札の表示の一例を示す図である。
【図１７】電子名札の表示を更新する処理の一例の流れを示す図である。
【図１８】業者端末における訪問先受付画面の一例を示す図である。
【図１９】取引業者が図１８の訪問先受付画面上で訪問先（職員名）の検索欄をタップしたときに表示される訪問先検索画面の一例を示す図である。
【図２０】取引業者が図１８の訪問先受付画面上で目的の選択欄をタップしたときに表示される目的選択画面の一例を示す図である。
【図２１】全ての項目が入力された図１８の訪問先受付画面の一例を示す図である。
【図２２】取引業者が医療施設に入館する時に訪問先が追加された訪問テーブルの一例を示す図である。
【図２３】図１１の訪問先選択画面に対して訪問先が追加された訪問先選択画面の一例を示す図である。
【図２４】面会が無い（すなわち、医療従事者等との面会の予約が無い）訪問である場合に訪問先受付画面上で訪問先（所属）の選択欄をタップすることにより表示される訪問先（所属）選択画面の一例を示す図である。
【図２５】面会が無い（すなわち、医療従事者等との面会の予約が無い）訪問に関する訪問情報が入力された訪問先受付画面の一例を示す図である。
【図２６】取引業者が医療施設を退館する時に医療施設に滞在している間（退館する前）に訪問した訪問先が追加された訪問テーブルの一例を示す図である。
【図２７】図１５の訪問先追加画面に対して訪問先が追加された訪問先追加画面の一例を示す図である。
【図２８】電子名札の表示を更新する処理の変形例の流れを示す図である。
【図２９】本発明の第２の実施形態に係る取引業者情報表示システムの構成の一例を示す図である。
【図３０】図２９の情報管理サーバの構成の一例を示す図である。
【図３１】位置変換テーブルの構成の一例を示す図である。
【図３２】図２９の業者端末の構成の一例を示す図である。
【発明を実施するための形態】
【００１５】
以下、本発明の実施形態に係る取引業者情報表示システムについて図面を参照しながら詳細に説明する。なお、実施形態を説明する全図において、共通の構成要素には同一の符号を付し、繰り返しの説明を省略する。
【００１６】
図１は、本発明の第１の実施形態に係る取引業者情報表示システム１の構成の一例を示す。
取引業者情報表示システム１は、複数の業者端末１０と、複数の電子名札２０と、複数の会社端末３０と、複数の職員端末４０と、複数の施設端末５０と、管理者端末６０と、情報管理サーバ１００Ａとを有する。
業者端末１０は、携帯端末であり、取引業者によって携帯される。取引業者は、例えば、病院等の医療施設に出入りするＭＲ（Ｍｅｄｉｃａｌ  ｒｅｐｒｅｓｅｎｔａｔｉｖｅ、医薬情報担当者）、医療機器のメンテナンスエンジニア、医療用品の販売員等である。業者端末１０は、例えば、スマートホン、タブレット等である。業者端末１０は、ネットワーク２００を介して情報管理サーバ１００Ａと通信可能である。
【００１７】
電子名札２０は、業者端末１０と無線で通信可能である。その無線の方式は、例えば、ＢｌｕｅｔｏｏｔｈとＮＦＣ（Ｎｅａｒ  Ｆｉｅｌｄ  Ｃｏｍｍｕｎｉｃａｔｉｏｎ）の両方またはいずれか一方である。電子名札２０は、ディスプレイを有しており、そのディスプレイに業者端末１０から受信した情報を表示する。電子名札２０は、周囲の人がそのディスプレイの表示を視認できるように取引業者によって携帯される。
電子名札２０のディスプレイとして、例えば、３色（例えば、白黒赤）で文字や図形を表示可能な電子ペーパーを使用することができる。
【００１８】
会社端末３０は、取引業者が勤務する会社の担当者によって使用される。会社は、例えば、製薬会社、医療機器の販売会社等である。担当者は、その会社の従業員である。会社端末３０は、例えば、スマートホン、タブレット、ノートパソコン、デスクトップパソコン等である。会社端末３０は、ネットワーク２００を介して情報管理サーバ１００Ａと通信可能である。
【００１９】
職員端末４０は、医療施設に勤務する職員によって使用される。職員は、例えば、医師、薬剤師、看護師、臨床検査技師のような医療従事者や事務員のような従業員である。職員端末４０は、例えば、スマートホン、タブレット、ノートパソコン、デスクトップパソコン等である。職員端末４０は、ネットワーク２００を介して情報管理サーバ１００Ａと通信可能である。
【００２０】
施設端末５０は、医療施設の担当者によって使用される。担当者は、その医療施設の職員である。施設端末５０は、例えば、スマートホン、タブレット、ノートパソコン、デスクトップパソコン等である。施設端末５０は、ネットワーク２００を介して情報管理サーバ１００Ａと通信可能である。
【００２１】
管理者端末６０は、情報管理サーバ１００Ａの管理者によって使用される。管理者端末６０は、例えば、スマートホン、タブレット、ノートパソコン、デスクトップパソコン等である。管理者端末６０は、ネットワーク２００を介して情報管理サーバ１００Ａと通信可能である。
【００２２】
図２は、情報管理サーバ１００Ａの構成の一例を示す。
情報管理サーバ１００Ａは、有線または無線でネットワーク２００に接続されている。情報管理サーバ１００Ａは、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）等で構成される主メモリと、ハードディスク等で構成される記憶部１１０とを備える。情報管理サーバ１００Ａは、例えば、コンピュータで実現することができる。また、情報管理サーバ１００Ａは、例えば、クラウドコンピューティングで実現することができる。
【００２３】
情報管理サーバ１００Ａの記憶部１１０には、取引業者テーブル１２０と、職員テーブル１３０と、担当施設テーブル１４０と、訪問テーブル１５０と、情報管理プログラム１７０Ａとが格納されている。
情報管理サーバ１００ＡのＣＰＵが記憶部１１０から主メモリに情報管理プログラム１７０Ａを読み出して実行することにより、登録部１０１と、医療施設リスト作成部１０２と、訪問情報管理部１０３と、滞在情報作成部１０４との各部の機能が実現される。
【００２４】
図３は、取引業者テーブル１２０の構成の一例を示す。
取引業者テーブル１２０は、医療施設に出入りする取引業者に関する取引業者情報を格納する。取引業者情報は、会社ＩＤ（Ｉｄｅｎｔｉｆｉｅｒ）１２１と、会社名１２２と、取引業者ＩＤ１２３と、取引業者名１２４と、職種１２５と、携帯電話番号１２６と、メールアドレス１２７とを含む。
会社ＩＤ１２１は、取引業者が勤務する会社を一意に識別する識別情報である。
会社名１２２は、会社の名称である。
取引業者ＩＤ１２３は、取引業者を一意に識別する識別情報である。
取引業者名１２４は、取引業者の名前である。
職種１２５は、取引業者の職種である。職種は、例えば、ＭＲ、エンジニア、営業等である。
携帯電話番号１２６は、業者端末１０の携帯電話番号である。
メールアドレス１２７は、業者端末１０で受信可能な電子メールのアドレスである。
【００２５】
図４は、職員テーブル１３０の構成の一例を示す。
職員テーブル１３０は、医療施設に勤務する職員（医療施設に勤務する医療従事者または従業員）に関する職員情報を格納する。職員情報は、施設ＩＤ１３１と、施設名１３２と、職員ＩＤ１３３と、職員名１３４と、職種１３５と、所属１３６と、携帯電話番号１３７と、メールアドレス１３８とを含む。
施設ＩＤ１３１は、医療施設を一意に識別する識別情報である。
施設名１３２は、医療施設の名称である。
職員ＩＤ１３３は、職員を一意に識別する識別情報である。
職員名１３４は、職員の名前である。
職種１３５は、職員の職種である。職種は、例えば、医師，薬剤師、看護師、臨床検査技師、事務等である。
所属１３６は、職員の所属である。所属は、例えば、呼吸器内科，化学療法センター（腫瘍内科）、脳神経外科、麻酔科、整形外科、調剤室、総合内科等である。
携帯電話番号１３７は、職員端末４０が携帯端末である場合の携帯電話番号である。職員端末４０がノートパソコンやデスクトップパソコンである場合には、携帯電話番号１３７は未登録でもよい。
メールアドレス１３８は、職員端末４０で受信可能な電子メールのアドレスである。
【００２６】
図５は、担当施設テーブル１４０の構成の一例を示す。
担当施設テーブル１４０は、担当施設情報を格納する。担当施設情報は、個々の取引業者が担当する各医療施設を示す。担当施設情報は、会社ＩＤ１４１と、取引業者ＩＤ１４２と、施設ＩＤ１４３とを含む。
会社ＩＤ１４１は、取引業者が勤務する会社を一意に識別する識別情報である。会社ＩＤ１４１は、図３の会社ＩＤ１２１に対応する。
取引業者ＩＤ１４２は、取引業者を一意に識別する識別情報である。取引業者ＩＤ１４２は、図３の取引業者ＩＤ１２３に対応する。
施設ＩＤ１４３は、取引業者ＩＤ１４２によって識別される取引業者が担当する医療施設を示す識別情報である。施設ＩＤ１４３は、図４の施設ＩＤ１３１に対応する。
【００２７】
図６は、訪問テーブル１５０の構成の一例を示す。
訪問テーブル１５０は、医療施設を担当する個々の取引業者によるその医療施設内の訪問先への訪問の内容を示す訪問情報を格納する。訪問情報は、会社ＩＤ１５１と、取引業者ＩＤ１５２と、施設ＩＤ１５３と、訪問先１５４と、職員ＩＤ１５５と、日時１５６と、目的１５７と、補足１５８と、予約１５９と、選択１６０とを含む。
会社ＩＤ１５１は、取引業者が勤務する会社を一意に識別する識別情報である。会社ＩＤ１５１は、図３の会社ＩＤ１２１に対応する。
取引業者ＩＤ１５２は、取引業者を一意に識別する識別情報である。取引業者ＩＤ１５２は、図３の取引業者ＩＤ１２３に対応する。
施設ＩＤ１５３は、医療施設を一意に識別する識別情報である。施設ＩＤ１５３によって識別される医療施設は、取引業者ＩＤ１５２によって識別される取引業者が担当する医療施設である。施設ＩＤ１５３は、図４の施設ＩＤ１３１に対応する。
【００２８】
訪問先１５４は、取引業者が訪問する医療施設内の部署（面会有りの場合には、面会相手の所属）を示す。訪問先１５４は、例えば、呼吸器内科、麻酔科、化学療法センター（腫瘍内科）、整形外科、調剤室、総合内科、脳神経外科等である。
職員ＩＤ１５５は、職員（医療施設に勤務する医療従事者または従業員）を一意に識別する識別情報である。職員ＩＤ１５５は、図４の職員ＩＤ１３３に対応する。職員ＩＤ１５５は、取引業者の訪問先の面会相手を識別する識別情報である。職員ＩＤ１５５に職員ＩＤが登録されていることは、面会の予定があること、面会が終了していること、または面会中であることを意味する。一方、職員ＩＤ１５５に無しが登録されていることは、面会する職員がおらず、取引業者は資料を届けたり、納品したり、医療機器をメンテナンスしたりするために訪問するのみであって面会が無いことを意味する。
訪問先１５４と職員ＩＤ１５５は、本発明における訪問先の例である。
日時１５６は、面会が予約されている年月日と時間帯、面会が行われた年月日と時間帯、または面会中の年月日と時間帯を示す。日時１５６は、取引業者が訪問先を訪問する訪問時間の例である。
目的１５７は、面会の目的を示す。目的１５７は、例えば、薬剤の情報提供、資料のお届け、納品、医療機器のメンテナンス等である。
補足１５８は、面会について、取引業者が職員に伝える補足説明を示す。
【００２９】
予約１５９は、各医療施設に勤務する職員と各医療施設を担当する取引業者との面会について職員と取引業者との間で合意されて確定した予約の有無を示す。職員と取引業者との間で合意が取れて予約が確定している場合、予約１５９には「有」が設定される。職員と取引業者との間で合意が取れずに面会の予約が成立しなかった場合、予約１５９には「無」が設定される。職員と取引業者との間での予約の合意が未定である場合および面会がない（職員ＩＤ１５５に無しが登録されている）訪問の場合、予約１５９には「未」が設定される。
ここで、本実施形態において、医療従事者または従業員と取引業者との面会の予約が有るとは、職員と取引業者との間で合意されて確定した予約が有ることをいい、予約１５９に「有」が設定されている場合をいう。一方、本実施形態において、医療従事者または従業員と取引業者との面会の予約が無いとは、職員と取引業者との間で合意されて確定した予約が無いことをいい、予約１５９に「無」または「未」が設定されている場合をいう。
選択１６０は、取引業者が訪問先１５４を実際に訪問することを選択したか否かを示す。取引業者が訪問先１５４を実際に訪問することを選択した場合、選択１６０には「有」が設定される。取引業者が実際には訪問先１５４を訪問しないことを選択した場合、選択１６０には「無」が設定される。取引業者が、まだ、訪問の有無を選択していない場合、選択１６０には「未」が設定される。
【００３０】
図７は、第１の実施形態に係る業者端末１０の構成の一例を示す。
業者端末１０に入退館アプリがインストールされ、取引業者によってその入退館アプリが起動されることにより、入退館部１１と、医療施設特定部１２Ａと、訪問先選択部１３と、滞在情報取得部１４と、表示情報作成部１５と、表示情報送信部１６と、訪問先受付部１７と、訪問先追加部１８との各部の機能が実現される。
【００３１】
以下では、業者端末１０と電子名札２０とがＢｌｕｅｔｏｏｔｈで通信する場合について、情報管理サーバ１００Ａと業者端末１０の各部を詳細に説明する。
情報管理サーバ１００Ａの登録部１０１は、取引業者テーブル１２０に取引業者情報を登録する。
例えば、会社の担当者は電話や電子メール、ＳＭＳ（Ｓｈｏｒｔ  Ｍｅｓｓａｇｅ  Ｓｅｒｖｉｃｅ）等を用いて情報管理サーバ１００Ａの管理者にその会社を取引業者テーブル１２０に登録することを申請する。情報管理サーバ１００Ａの管理者は、その申請を受け付けると、管理者端末６０から情報管理サーバ１００Ａに所定の認証を受けてログインし、会社名１２２を入力する。登録部１０１は、その会社に会社ＩＤ１２１を付与し、会社ＩＤ１２１と会社名１２２を取引業者テーブル１２０に登録する。
次に、取引業者が勤務する会社の担当者は、その会社の会社端末３０から情報管理サーバ１００Ａに所定の認証を受けてログインし、取引業者の取引業者名１２４と職種１２５と携帯電話番号１２６とメールアドレス１２７を入力する。これに応答して、登録部１０１は、その取引業者に取引業者ＩＤ１２３を付与し、その取引業者の取引業者情報を取引業者テーブル１２０に登録する。
【００３２】
また、情報管理サーバ１００Ａの登録部１０１は、職員テーブル１３０に職員情報を登録する。
例えば、医療施設の担当者は電話や電子メール、ＳＭＳ等を用いて情報管理サーバ１００Ａの管理者にその医療施設を職員テーブル１３０に登録することを申請する。情報管理サーバ１００Ａの管理者は、その申請を受け付けると、管理者端末６０から情報管理サーバ１００Ａに所定の認証を受けてログインし、施設名１３２を入力する。登録部１０１は、その医療施設に施設ＩＤ１３１を付与し、施設ＩＤ１３１と施設名１３２を施設テーブル１３０に登録する。
次に、医療施設の担当者は、その医療施設の施設端末５０から情報管理サーバ１００Ａに所定の認証を受けてログインし、職員の職員名１３４と職種１３５と所属１３６と携帯電話番号１３７とメールアドレス１３８とを入力する。これに応答して、登録部１０１は、その職員に職員ＩＤ１３３を付与し、その職員の職員情報を職員テーブル１３０に登録する。または、取引業者は、業者端末１０から情報管理サーバ１００Ａに所定の認証を受けてログインし、その取引業者が担当する医療施設を特定する情報、およびその医療施設に勤務する職員の職員名１３４と職種１３５と所属１３６と携帯電話番号１３７とメールアドレス１３８とを入力する。これに応答して、登録部１０１は、その職員に職員ＩＤ１３３を付与し、その職員の職員情報を職員テーブル１３０に登録する。
【００３３】
また、情報管理サーバ１００Ａの登録部１０１は、担当施設テーブル１４０に担当施設情報を登録する。
例えば、取引業者は、ある医療施設を担当することになったとき、電話や電子メール、ＳＭＳ等を用いてその医療施設の担当者にＫｅｙコードを問い合わせる。Ｋｅｙコードは、各医療施設を一意に特定する情報である。Ｋｅｙコードは、予め情報管理サーバ１００Ａの管理者から各医療施設の担当者に通知されている。医療施設の担当者は、問い合わせに答えて電話や電子メール、ＳＭＳ等でＫｅｙコードを取引業者に通知する。
取引業者がパソコンや業者端末１０等を用いて情報管理サーバ１００Ａに所定の認証を受けてログインしてＫｅｙコードを入力すると、登録部１０１は所定の担当施設登録ページをパソコンや業者端末１０等に表示させる。取引業者は、担当施設登録ページ上で担当施設の登録に必要な所定の情報を入力する。これに応答して、登録部１０１は、図５に示した担当施設テーブル１４０に格納されているその取引業者に関する担当施設情報に含まれる施設ＩＤ１４３にＫｅｙコードで特定される医療施設の施設ＩＤを登録する。
【００３４】
面会の予約に関する情報は２通りの手段によって取得され、その情報に基づいて訪問情報が訪問テーブル１５０に登録される。
一つの手段は、本実施形態に係る情報管理サーバ１００Ａとは別の面会予約サーバ（図示無し）である。面会予約サーバは、各医療施設の職員から取引業者に対して申し込んだ面会の予約に関する情報と、取引業者から各医療施設の職員に対して申し込んだ面会の予約に関する情報とを受け付ける。そして、面会予約サーバは、職員と取引業者との間で予約の合意について調整中（合意待ち）である場合、予約１５９＝「未」と選択１６０＝「未」を含む訪問情報を訪問テーブル１５０に登録する。
また、面会予約サーバは、それらの面会の予約について職員と取引業者との間で合意が取れて予約が確定した場合、予約１５９＝「有」と選択１６０＝「未」を含む訪問情報を訪問テーブル１５０に登録する。一方、面会予約サーバは、職員と取引業者との間で合意が取れずに面会の予約が成立しなかった場合、予約１５９＝「無」と選択１６０＝「無」を含む訪問情報を訪問テーブル１５０に登録する。
【００３５】
もう一つの手段は、取引業者が業者端末１０を用いて面会の予約に関する情報を入力することである。例えば、電話、電子メール、ＬＩＮＥ（登録商標）等によって職員と取引業者との間で合意が取れて面会の予約が成立した場合、取引業者は面会の予約についての情報を医療施設への入館時に業者端末１０を用いて入力する。詳細は後述するが、このとき、面会対象の職員が存在する（職員ＩＤ１５５が登録されている）訪問について、情報管理サーバ１００Ａの訪問情報管理部１０３は面会の予約についての情報に基づいて訪問テーブル１５０に予約１５９＝「有」と選択１６０＝「未」を含む訪問情報を登録する。
【００３６】
また、詳細は後述するが、取引業者は、医療施設への入館時に業者端末１０を用いて面会が無い（職員ＩＤ１５５に無しが登録される）訪問を入力することができる。この場合、訪問情報管理部１０３は訪問テーブル１５０に予約１５９＝「未」と選択１６０＝「未」を含む訪問情報を登録する。
また、詳細は後述するが、取引業者は医療施設からの退館時に業者端末１０を用いて医療施設に滞在している間（退館する前）に訪問した訪問先を訪問テーブル１５０に追加することができる。この場合、訪問情報管理部１０３は、訪問テーブル１５０に予約１５９＝「未」と選択１６０＝「有」を含む訪問情報を登録する。
【００３７】
業者端末１０の入退館部１１は、取引業者が医療施設に入館していない（滞在していない）時には、図８に示す入退館画面を業者端末１０に表示する。入退館画面は、入館・更新手続きボタンと退館手続きボタンとを有する。
例えば、訪問テーブル１５０に図６に示す訪問情報が格納されているときに、ＡＢＣ製薬株式会社（会社ＩＤ１５１＝０００１）の春野昭夫（取引業者ＩＤ１５２＝０００１）が入退館画面上で入館・更新手続きボタンをタップすると、業者端末１０の医療施設特定部１２Ａは、担当施設リスト要求を情報管理サーバ１００Ａに送信する。情報管理サーバ１００Ａの担当施設リスト作成部１０２は、業者端末１０から担当施設リスト要求を受信すると、その医療施設リスト要求に応答して、担当施設テーブル１４０からその取引業者の担当施設情報に含まれる施設ＩＤ１４３を全て読み出す。そして、担当施設リスト作成部１０２は、施設ＩＤ１３１をキーとして図４の職員テーブル１３０を検索して、各施設ＩＤ１３１を各施設名１３２に変換し、その取引業者によって担当される各施設名のリスト（各医療施設のリスト）を作成する。担当施設リスト作成部１０２は、作成したリストを業者端末１０に送信する。
【００３８】
業者端末１０の医療施設特定部１２Ａは、情報管理サーバ１００Ａから各医療施設のリストを受信すると、業者端末１０に図９の入館手続き画面を表示し、取引業者に各医療施設のリストを提示する。図９の入館手続き画面の例には、施設ＩＤ１４３＝０００１の新関越大学病院と、施設ＩＤ１４３＝００１０の公立関東総合病院と、施設ＩＤ１４３＝１３６３の神奈川中央病院とからなる各医療施設のリストが表示されている。医療施設特定部１２Ａは、取引業者に、入館手続き画面上で入館する医療施設に対応する入館ボタンをタップさせることにより、リストに含まれる各医療施設の中から取引業者が滞在している医療施設を選択させる。
例えば、春野昭夫が図９の入館手続き画面上で新関越大学病院（施設ＩＤ１５３＝０００１）の入館ボタンをタップしたとする。これにより、業者端末１０の医療施設特定部１２Ａは、新関越大学病院を特定する。
【００３９】
このとき、業者端末１０の訪問先選択部１３は、春野昭夫（取引業者）が滞在している新関越大学病院（選択された医療施設）の指定を含む訪問情報要求を情報管理サーバ１００Ａに送信する。
情報管理サーバ１００Ａの訪問情報管理部１０３は、訪問情報要求を受信したことに応答して、現在の時刻と日時１６４とに基づいて春野昭夫が当日中に訪問できる訪問先１５４を含む訪問情報を訪問テーブル１５０から読み出す。図６の訪問テーブル１５０には、春野昭夫に関する訪問情報であって新関越大学病院に関する訪問情報は５つ格納されている。ただし、訪問先１５４＝麻酔科である訪問情報に含まれる予約１５９＝「無」である。予約１５９＝「無」は、職員と取引業者との間で合意が取れずに面会の予約が成立しなかったことを示す。例えば、現在の時刻が２０２０年３月３日１４時５５分であるとき、情報管理サーバ１００Ａの訪問情報管理部１０３は、この訪問情報を除く４つの訪問情報を訪問テーブル１５０から読み出して春野昭夫の業者端末１０に送信する。
【００４０】
業者端末１０の訪問先選択部１３は、情報管理サーバ１００Ａから送信された春野昭夫（取引業者）に関する４つの訪問情報を取得する。そして、訪問先選択部１３は、図１０に示すように、これら４つの訪問情報に基づいて業者端末１０の訪問先選択画面に取得した春野昭夫（取引業者）の訪問先を表示する。
従って、訪問先選択画面には、予約１５９＝「有」と予約１５９＝「未」である訪問情報に含まれる日時１５６と訪問先１５４と職員名１３４等が表示される。すなわち、訪問先選択画面には、訪問先１５４＝呼吸器内科のように予約が確定している（予約１５９＝「有」である）訪問先と、訪問先１５４＝化学療法センター（腫瘍内科）と訪問先１５４＝整形外科のように予約が未定である（予約１５９＝「未」である）訪問先と、訪問先１５４＝調剤室のように面会が無い（職員ＩＤ１５５＝「無し」かつ予約１５９＝「未」である）訪問先とが表示される。面会が無い訪問である場合には、例えば職員名１３４の代わりに目的１５７が表示される。
なお、情報管理サーバ１００Ａの訪問情報管理部１０３が予約１５９＝「無」である訪問情報も業者端末１０に送信し、業者端末１０の訪問先選択部１３が予約１５９＝「有」と予約１５９＝「未」である訪問情報に含まれる日時１５６と訪問先１５４と職員名１３４等を業者端末１０に表示することとしてもよい。
【００４１】
訪問先選択画面には、訪問先選択用のチェックボックスと、訪問先追加ボタンと、訪問先入力済み確認用のチェックボックスと、完了ボタンとが含まれている。図１１に示すように、訪問先選択用のチェックボックスにチェックマークを入力することにより、取引業者は実際に訪問する訪問先を選択することができる。取引業者は、実際には訪問しないこととした訪問先については訪問先選択用チェックボックスにチェックマークを入力しない。
訪問先選択部１３は、取引業者によって完了ボタンがタップされると、訪問先選択用チェックボックスにチェックマークが入力された訪問先とチェックマークが入力されなかった訪問先とを特定する訪問先選択情報を情報管理サーバ１００Ａに送信する。同時に、訪問先選択部１３は、業者端末１０に図１２に示す電子名札更新画面を表示する。図１２は、入館手続き画面上で新関越大学病院の入館ボタンがタップされた場合に表示される電子名札更新画面の例である。電子名札更新画面は、更新ボタンを有する。
【００４２】
情報管理サーバ１００Ａの訪問情報管理部１０３は、訪問先選択情報を受信すると、訪問先選択情報によって訪問先選択用チェックボックスにチェックマークが入力されたことが特定された訪問先１５４を含む訪問情報の選択１６０に「有」を設定する。また、訪問情報管理部１０３は、訪問先選択情報によって訪問先選択用チェックボックスにチェックマークが入力されなかったことが特定された訪問先１５４を含む訪問情報の選択１６０に「無」を設定する。
図１１の訪問先選択画面のように入力された場合、訪問テーブル１５０には図６に示すように、訪問先１５４＝呼吸器内科と訪問先１５４＝化学療法センター（腫瘍内科）と訪問先１５４＝調剤室である訪問情報の選択１６０に「有」が設定される。また、訪問先１５４＝整形外科である訪問情報の選択１６０には「無」が設定される。
なお、訪問先１５４＝麻酔科である訪問情報の選択１６０にも「無」が設定されている。この訪問情報は予約１５９＝「無」であり、面会の予約が成立しなかったため、登録部１０１が選択１６０に「無」を設定したものである。
【００４３】
春野昭夫（取引業者）が電子名札更新画面上で更新ボタンをタップすると、業者端末１０の入退館部１１は業者端末１０に図８の入退館画面を再び表示する。また、取引業者による更新ボタンのタップは、取引業者が電子名札２０の表示の更新を指示することを意味する。取引業者が更新ボタンをタップすると、滞在情報取得部１４は、取引業者（春野昭夫）が滞在している医療施設（新関越大学病院）の指定を含む滞在情報要求を情報管理サーバ１００Ａに送信する。なお、滞在情報要求は本発明における予約判別情報要求の例である。
情報管理サーバ１００Ａの滞在情報作成部１０４は、情報管理サーバ１００Ａから滞在情報要求を受信したことに応答して、選択１６０＝「有」である訪問情報の中から、現在の時刻と日時１６４とに基づいて電子名札２０に表示させるために訪問情報を選択する。例えば、滞在情報作成部１０４は、まず、日時１５６が現在の時刻を含む訪問情報を選択する。それが無い場合、滞在情報作成部１０４は、日時１５６が訪問当日であって現在の時刻に最も近い未来の時間である訪問情報を選択する。
例えば、現在の時刻が２０２０年３月３日１４時５５分であるとき、図６の訪問テーブル１５０の例では、滞在情報作成部１０４は、訪問先１５４＝「呼吸器内科」、職員ＩＤ１５５＝０００１（相田健一）である春野昭夫（取引業者）の訪問情報を選択する。この訪問情報の予約１５９は「有」である。この訪問情報に基づいて、滞在情報作成部１０４は、業者端末１０を携帯している取引業者（春野昭夫）が、面会の予約を有して滞在情報要求で指定された医療施設（新関越大学病院）に滞在していることを示す滞在情報を作成して業者端末１０に送信する。なお、滞在情報は本発明における予約判別情報の例である。
【００４４】
業者端末１０の滞在情報取得部１４は、情報管理サーバ１００Ａによって送信された滞在情報を受信する。業者端末１０の表示情報作成部１５は、滞在情報取得部１４によって受信された滞在情報に基づいて面会の予約有りを示す表示情報を作成する。そして、表示情報送信部１６は、作成された表示情報を電子名札２０に無線で送信する。
【００４５】
電子名札２０は、受信した表示情報をディスプレイに表示する。電子名札２０は、次に更新されるまでディスプレイの表示を維持する。図１３は、面会の予約有りを示す電子名札２０の表示の一例を示す。この表示は、「アポイント時間（面会予約時間）」と「入館中」という表示を含む。この表示により、電子名札２０を見た人は、医療施設を訪問中の取引業者が医療従事者等との面会の予約を有していることを知ることができる。
なお、図１３の表示は、取引業者の会社名（ＡＢＣ製薬株式会社）と名前（春野昭夫）を含むが、例えば、取引業者の会社名と名前を示す情報が予め業者端末１０の所定の記憶部に記憶されており、表示情報作成部１５はその情報に基づいて取引業者の会社名と名前を含む表示情報を作成する。
【００４６】
続いて、例えば、２０２０年３月３日１５時４５分に春野昭夫（取引業者）が呼吸器内科の相田健一（医師）との面会を終了したとする。このとき、春野昭夫が入退館画面上で入館・更新手続きボタンをタップすると、訪問先選択部１３は、業者端末１０に図１２に示した電子名札更新画面を表示する。
続いて、春野昭夫（取引業者）が電子名札更新画面上で更新ボタンをタップすると、業者端末１０の入退館部１１は業者端末１０に図８の入退館画面を再び表示する。このとき同時に、滞在情報取得部１４は、取引業者（春野昭夫）が滞在している医療施設（新関越大学病院）の指定を含む滞在情報要求を情報管理サーバ１００Ａに送信する。
【００４７】
情報管理サーバ１００Ａの滞在情報作成部１０４は、情報管理サーバ１００Ａから滞在情報要求を受信したことに応答して、選択１６０＝「有」である訪問情報の中から、現在の時刻と日時１６４とに基づいて電子名札２０に表示させるために次の訪問情報を選択する。図６の訪問テーブル１５０の例では、訪問先１５４＝呼吸器内科の次の訪問先１５４＝麻酔科を含む訪問情報は選択１６０＝「無」である。このため、訪問情報抽出部１０３は、この訪問情報をスキップし、訪問先１５４＝化学療法センター（腫瘍内科）を含む訪問情報を選択する。この訪問情報の予約１５９は「未」である。これは、例えば、取引業者が面会予約サーバを用いて医療施設の職員に対して面会を申し込んだが、職員と取引業者との間で予約の合意について調整中（合意待ち）である場合の訪問情報である。この訪問情報に基づいて、滞在情報作成部１０４は、業者端末１０を携帯している取引業者（春野昭夫）が、面会の予約無しに滞在情報要求で指定される医療施設（新関越大学病院）に滞在していることを示す滞在情報を作成して業者端末１０に送信する。
【００４８】
業者端末１０の滞在情報取得部１４は、情報管理サーバ１００Ａによって送信された滞在情報を受信する。業者端末１０の表示情報作成部１５は、滞在情報取得部１４によって受信された滞在情報に基づいて面会の予約無しを示す表示情報を作成する。そして、表示情報送信部１６は、作成された表示情報を電子名札２０に無線で送信する。
電子名札２０は、受信した表示情報をディスプレイに表示する。図１４は、面会予定は有るが、面会の予約無しを示す電子名札２０の表示の一例を示す。この表示は、「アポイントがありません」という表示を含む。この表示により、電子名札２０を見た人は、医療施設を訪問中の取引業者が医療従事者等との面会の予約を有していないことを知ることができる。
【００４９】
そして、例えば、２０２０年３月３日１６時５１分に春野昭夫（取引業者）が化学療法センター（腫瘍内科）の大池加奈（医師）との面会を終了したとする。このとき、春野昭夫が入退館画面上で入館・更新手続きボタンをタップすると、訪問先選択部１３は、業者端末１０に図１２に示した電子名札更新画面を表示する。
続いて、春野昭夫（取引業者）が電子名札更新画面上で更新ボタンをタップすると、業者端末１０の入退館部１１は業者端末１０に図８の入退館画面を再び表示する。このとき同時に、滞在情報取得部１４は、取引業者（春野昭夫）が滞在している医療施設（新関越大学病院）の指定を含む滞在情報要求を情報管理サーバ１００Ａに送信する。
【００５０】
情報管理サーバ１００Ａの滞在情報作成部１０４は、情報管理サーバ１００Ａから滞在情報要求を受信したことに応答して、訪問先１５４＝化学療法センター（腫瘍内科）の次に選択１６０＝「有」である訪問先１５４＝調剤室を含む訪問情報を選択する。この訪問情報の予約１５９は「未」である。また、この訪問情報の職員ＩＤ１５５は「無し」である。すなわち、この訪問情報で示される訪問では、面会する職員はいない。この訪問情報に基づいて、滞在情報作成部１０４は、業者端末１０を携帯している取引業者（春野昭夫）が、面会の予約無しに滞在情報要求で指定される医療施設（新関越大学病院）に滞在していることを示す滞在情報を作成して業者端末１０に送信する。
【００５１】
業者端末１０の滞在情報取得部１４は、情報管理サーバ１００Ａによって送信された滞在情報を受信する。業者端末１０の表示情報作成部１５は、滞在情報取得部１４によって受信された滞在情報に基づいて面会の予約無しを示す表示情報を作成する。そして、表示情報送信部１６は、作成された表示情報を電子名札２０に無線で送信する。
電子名札２０は、受信した表示情報をディスプレイに表示する。面会がない場合にも、電子名札２０の表示は図１４となる。すなわち、図１４は、面会が無い（すなわち、医療従事者等との面会の予約を有していない）取引業者が医療施設に入館しているときの電子名札の表示の例でもある。この表示により、電子名札２０を見た人は、医療施設を訪問中の取引業者が医療従事者等との面会の予約を有していないことを知ることができる。
【００５２】
そして、取引業者は医療施設を退館するときに、図８に示した入退館画面上で退館手続きボタンをタップする。例えば、２０２０年３月３日１７時５１分にＡＢＣ製薬株式会社（会社ＩＤ１５１＝０００１）の春野昭夫（取引業者ＩＤ１５２＝０００１）が調剤室への訪問を終了したとする。このとき、春野昭夫は、当日の面会を全て終了しているため、入退館画面上で退館手続きボタンをタップする。
このとき、業者端末１０の訪問先追加部１８は、情報管理サーバ１００Ａに訪問済リスト要求を送信する。情報管理サーバ１００Ａの訪問情報管理部１０３は、業者端末１０から訪問済リスト要求を受信すると、その訪問済リスト要求に応答して、その取引業者がその医療施設に入館してから退館するまでに実際に訪問した全ての訪問先を示す訪問情報を業者端末１０に送信する。すなわち、訪問情報管理部１０３は、訪問テーブル１５０に格納されているその取引業者の訪問情報であって、その取引業者が退館する医療施設に関し、日時１５６が入退館画面上で入館・更新手続きボタンが最初にタップされた時刻（入館時刻）と退館手続きボタンがタップされた時刻（退館時刻）との間であり、選択１６０＝「有」である訪問情報を業者端末１０に送信する。
【００５３】
訪問先追加部１８は、情報管理サーバ１００Ａから受信した訪問情報に基づいて、業者端末１０に図１５に示す訪問先追加画面を表示する。図１５の訪問先追加画面は、訪問テーブル１５０に図６の訪問情報が格納されているときに、春野昭夫が新関越大学病院（施設ＩＤ１５３＝０００１）を退館する場合の例である。
訪問先追加画面には、訪問先追加ボタンと、訪問先入力済み確認用のチェックボックスと、完了ボタンとが表示されている。取引業者が訪問先追加画面上で訪問先入力済み確認用のチェックボックスにチェックマークを入力し、完了ボタンをタップすると、業者端末１０の訪問先追加部１８は、業者端末１０に図１２の電子名札更新画面を表示する。電子名札更新画面上で更新ボタンがタップされると、入退館部１１は業者端末１０に図８の入退館画面を表示する。このとき同時に、業者端末１０の表示情報作成部１５は、取引業者が退館した（どの医療施設にも滞在していない）ことを示す表示情報を作成する。そして、業者端末１０の表示情報送信部１６は、作成された表示情報を電子名札２０に無線で送信する。
【００５４】
電子名札２０は、受信した表示情報をディスプレイに表示する。図１６は、取引業者が医療施設から退館している（どの医療施設にも滞在していない）ときの電子名札２０の表示の一例を示す。この表示は、「入館していません」という表示を含み、背景の色は例えば赤色である。
【００５５】
図１７は、電子名札２０の表示を更新する処理の一例の流れを示す。
取引業者が業者端末１０の入退館画面（図８）上で入館・更新手続きボタンをタップする（Ｓ１１）と、医療施設特定部１２Ａは担当施設リスト要求を情報管理サーバ１００Ａに送信する。情報管理サーバ１００Ａの担当施設リスト作成部１０２は、業者端末１０から担当施設リスト要求を受信すると、その取引業者によって担当される各施設名のリスト（各医療施設のリスト）を作成し、業者端末１０に送信する（Ｓ１２）。
【００５６】
業者端末１０の医療施設特定部１２Ａは、情報管理サーバ１００Ａから各医療施設のリストを受信すると、業者端末１０に図９の入館手続き画面を表示し、取引業者に各医療施設のリストを提示する。医療施設特定部１２Ａは、取引業者に、入館手続き画面上で入館する医療施設に対応する入館ボタンをタップさせることにより、リストに含まれる各医療施設の中から取引業者が滞在している医療施設を選択させる（Ｓ１３）。業者端末１０の訪問先選択部１３は、選択された医療施設の指定を含む訪問情報要求を情報管理サーバ１００Ａに送信する。
【００５７】
情報管理サーバ１００Ａの訪問情報管理部１０３は、訪問情報要求を受信したことに応答して、取引業者が当日中に訪問できる訪問先１５４を示す訪問情報を訪問テーブル１５０から読み出す（Ｓ１４）。訪問情報管理部１０３は、読み出した訪問情報を取引業者の業者端末１０に送信する。
【００５８】
業者端末１０の訪問先選択部１３は、情報管理サーバ１００Ａから送信された取引業者が当日中に訪問できる訪問先１５４を示す訪問情報を受信する。そして、訪問先選択部１３は、図１０に示すように、これらの訪問情報に基づいて業者端末１０の訪問先選択画面に取得した取引業者の訪問先を表示する。取引業者は図１０の訪問先選択画面上で実際に訪問する訪問先を選択し、完了ボタンをタップする（Ｓ１５）。訪問先選択部１３は、選択された訪問先（実際に訪問する訪問先）を特定する訪問先選択情報を情報管理サーバ１００Ａに送信する。同時に、訪問先選択部１３は、業者端末１０に図１２に示す電子名札更新画面を表示する。
【００５９】
情報管理サーバ１００Ａの訪問情報管理部１０３は、訪問先選択情報を受信すると、訪問テーブル１５０に格納されている訪問情報に訪問先の選択の有無を登録する（Ｓ１６）。すなわち、訪問情報管理部１０３は、選択された訪問先１５４を含む訪問情報の選択１６０に「有」を設定する。また、訪問情報管理部１０３は、選択されなかった訪問先１５４を含む訪問情報の選択１６０に「無」を設定する。
【００６０】
取引業者が電子名札更新画面上で更新ボタンをタップする（Ｓ１７）と、業者端末１０の入退館部１１は業者端末１０に図８の入退館画面を再び表示する。同時に、滞在情報取得部１４は、取引業者が滞在している医療施設の指定を含む滞在情報要求を情報管理サーバ１００Ａに送信する。なお、滞在情報要求は本発明における予約判別情報要求の例である。
情報管理サーバ１００Ａの滞在情報作成部１０４は、情報管理サーバ１００Ａから滞在情報要求を受信したことに応答して、選択１６０＝「有」である訪問情報の中から、滞在情報要求を受信した時間と業者端末１０を携帯している取引業者の訪問テーブル１５０に格納されている各訪問情報に含まれる訪問先への訪問時間（日時１５６）とに基づいて訪問情報を特定する。
そして、滞在情報作成部１０４は、特定された訪問情報で示される面会の予約の有無に基づいて業者端末１０を携帯している取引業者が面会の予約を有してまたは面会の予約無しに滞在情報要求で指定される医療施設に滞在していることを示す滞在情報を作成して当該業者端末に送信する（Ｓ１８）。なお、滞在情報は本発明における予約判別情報の例である。
【００６１】
業者端末１０の滞在情報取得部１４は、情報管理サーバ１００Ａによって送信された滞在情報を受信する。業者端末１０の表示情報作成部１５は、滞在情報取得部１４によって受信された滞在情報に基づいて面会の予約の有無を示す表示情報を作成する（Ｓ１９）。そして、表示情報送信部１６は、作成された表示情報を電子名札２０に無線で送信する。電子名札２０は、受信した表示情報に従ってディスプレイの表示を更新する（Ｓ２０）。
取引業者が業者端末１０の入退館画面（図８）上で入館・更新手続きボタンをタップする（Ｓ２１）と、業者端末１０の訪問先選択部１３は業者端末１０に図１２に示した電子名札更新画面を表示し、ステップＳ１７に戻る。
【００６２】
一方、取引業者が入退館画面上で退館手続きボタンをタップする（Ｓ２１）と、業者端末１０の訪問先追加部１８は情報管理サーバ１００Ａに訪問済リスト要求を送信する。
情報管理サーバ１００Ａの訪問情報管理部１０３は、業者端末１０から訪問済リスト要求を受信すると、その訪問済リスト要求に応答して、その取引業者がその医療施設に入館してから退館するまでに実際に訪問した全ての訪問先を示す訪問情報を業者端末１０に送信する（Ｓ２２）。
【００６３】
訪問先追加部１８は、情報管理サーバ１００Ａから受信した訪問情報に基づいて、業者端末１０に図１５に示す訪問先追加画面を表示する。取引業者が訪問先追加画面上で訪問先を確認し、完了ボタンをタップする（Ｓ２３）と、訪問先追加部１８は、業者端末１０に図１２の電子名札更新画面を表示する。電子名札更新画面上で更新ボタンがタップされると、入退館部１１は業者端末１０に図８の入退館画面を表示する。このとき同時に、業者端末１０の表示情報作成部１５は、取引業者が退館した（どの医療施設にも滞在していない）ことを示す表示情報を作成する（Ｓ２４）。そして、業者端末１０の表示情報送信部１６は、作成された表示情報を電子名札２０に無線で送信する。電子名札２０は、受信した表示情報に従ってディスプレイの表示を更新する（Ｓ２０）。
【００６４】
なお、図１７の例では、図１１等の訪問先選択画面上で取引業者によって完了ボタンがタップされると、ステップＳ１５の終了時に訪問先選択部１３が訪問先選択情報を情報管理サーバ１００Ａに送信すると同時に、訪問先選択部１３が業者端末１０に図１２に示す電子名札更新画面を表示し、更に取引業者が電子名札更新画面上で更新ボタンをタップすると、滞在情報取得部１４が滞在情報要求を情報管理サーバ１００Ａに送信する例を示したが、本発明では、ステップＳ１５の終了時に電子名札更新画面を表示しないようにし、ステップＳ１７を省略することもできる。この場合、ステップＳ１５の終了時に、業者端末１０の入退館部１１は業者端末１０に図８の入退館画面を表示し、滞在情報取得部１４は訪問先選択情報と同時に滞在情報要求を送信する。また、ステップＳ２１において、取引業者が業者端末１０の入退館画面（図８）上で入館・更新手続きボタンをタップすると、業者端末１０の滞在情報取得部１４は滞在情報要求を情報管理サーバ１００Ａに送信し、ステップＳ１９に戻る。
同様に、ステップＳ２３において訪問先追加画面上で完了ボタンがタップされたとき、訪問先追加部１８は電子名札更新画面を表示せずに、入退館部１１が業者端末１０に図８の入退館画面を表示するとともに、表示情報作成部１５がステップＳ２４を実行することとしてもよい。
【００６５】
取引業者は、例えば電話、電子メール、ＬＩＮＥ（登録商標）等で職員と面会を予約し、合意が取れてその予約が成立した場合、医療施設に入館する時に業者端末１０を用いて訪問テーブル１５０に訪問先を追加することができる。
取引業者が医療施設に入館する時に、図１０に示した訪問先選択画面上で訪問先追加ボタンをタップした場合、業者端末１０の訪問先受付部１７は図１８に示す訪問先受付画面を表示する。また、取引業者が図９に示した入館手続き画面上で医療施設の入館ボタンをタップした時に、その取引業者に関する訪問情報であってその医療施設に関する訪問情報が訪問テーブル１５０に１つも格納されていない場合にも、訪問先受付部１７は図１８の訪問先受付画面を表示する。
訪問先受付画面は、訪問先（職員名）の検索欄と、訪問先（所属）の選択欄と、訪問日時の入力欄と、目的の選択欄と、補足の入力欄と、追加ボタンと、キャンセルボタンとを有する。
【００６６】
取引業者が図１８の訪問先受付画面上で訪問先（職員名）の検索欄をタップすると、訪問先受付部１７は業者端末１０に図１９に示す訪問先検索画面を表示する。取引業者が訪問先検索画面上で訪問先選択用のチェックボックスにチェックマークを入力し、完了ボタンをタップすると、訪問先受付部１７は選択された訪問先の入力を受け付ける。このとき、訪問先の職員名と所属が同時に選択される。この場合、取引業者は別途訪問先（所属）の選択欄をタップし、訪問先（所属）を選択する必要はない。図１９の例では、訪問先（職員名）と訪問先（所属）としてそれぞれ「芦田博」と「脳神経外科」が選択されている。
次に、取引業者は、訪問日時を入力する。そして、取引業者が訪問先受付画面上で目的の選択欄をタップすると、訪問先受付部１７は業者端末１０に図２０に示す目的選択画面を表示する。取引業者が目的選択画面上で目的選択用のチェックボックスにチェックマークを入力し、完了ボタンをタップすると、訪問先受付部１７は選択された目的の入力を受け付ける。必要に応じて、取引業者は、補足の入力欄に補足説明を入力する。
【００６７】
取引業者が、訪問先受付画面上で図２１に示すように各項目を選択および入力し、追加ボタンをタップすると、訪問先受付部１７は受け付けた訪問情報を情報管理サーバ１００Ａに送信する。情報管理サーバ１００Ａの訪問情報管理部１０３は、業者端末１０から送信された訪問情報を訪問テーブル１５０に格納する。このとき、その訪問情報に含まれる予約１５９には「有」が設定され、選択１６０には「未」が設定される。
【００６８】
例えば、業者端末１０を使用する取引業者がＡＢＣ製薬株式会社の春野昭夫である場合、図３の取引業者テーブル１２０に示すように、会社ＩＤ１２１＝０００１および取引業者ＩＤ１２３＝０００１である。また、追加された訪問先が新関越大学病院の脳神経外科に勤務する芦田博である場合、図４の職員テーブル１３０に示すように、施設ＩＤ１３１＝０００１および職員ＩＤ１３３＝０１３２である。この場合、図２１の訪問先受付画面のように入力されると、図２２の訪問テーブル１５０の例に示すように、会社ＩＤ１５１＝０００１、取引業者ＩＤ１５２＝０００１、施設ＩＤ１５３＝０００１、訪問先１５４＝脳神経外科、職員ＩＤ１５５＝０１３２、日時１５６＝「２０２０年３月３日、１８：００〜１８：３０」、目的１５７＝薬剤の情報提供、補足１５８＝薬剤名、予約１５９＝「有」、選択１６０＝「未」の訪問情報が登録される。
【００６９】
上述したように取引業者によって図２１の訪問先受付画面上で追加ボタンがタップされたとき、同時に、訪問先選択部１３は業者端末１０に図２３に示す訪問先選択画面を表示する。図２３の訪問先選択画面は、図１１の訪問先選択画面に対し、訪問日時＝１８：００〜１８：３０、訪問先（所属）＝脳神経外科、訪問先（職員名）＝芦田博が追加されている。
図２３に示すように、取引業者が、訪問先選択画面上で訪問先選択用のチェックボックスと訪問先入力済み確認用のチェックボックスとにチェックマークを入力し、完了ボタンをタップすると、訪問先選択部１３は訪問先選択用チェックボックスにチェックマークが入力された訪問先とチェックマークが入力されなかった訪問先とを特定する訪問先選択情報を情報管理サーバ１００Ａに送信する。同時に、訪問先選択部１３は、業者端末１０に図１２に示した電子名札更新画面を表示する。
【００７０】
また、取引業者が医療施設に入館する時に面会が無い（すなわち、医療従事者等との面会の予約が無い）訪問を追加する場合には、取引業者は図１８の訪問先受付画面上で訪問先の検索欄をタップせずに、訪問先（所属）の選択欄をタップする。このとき、訪問先受付部１７は業者端末１０に図２４に示す訪問先（所属）選択画面を表示する。
取引業者が訪問先（所属）選択画面上で訪問先（所属）選択用のチェックボックスにチェックマークを入力し、完了ボタンをタップすると、訪問先受付部１７は選択された訪問先（所属）の入力を受け付ける。図２４の例では、訪問先（所属）として総合内科が選択されている。
そして、取引業者は、図２５に示すように訪問先受付画面上で訪問日時を入力し、目的を選択する。図２５の例では、目的として「資料のお届け」が選択されている。取引業者が、訪問先受付画面上で全ての項目の入力を終え、追加ボタンをタップすると、訪問先受付部１７は受け付けた訪問情報を情報管理サーバ１００Ａに送信する。このとき、同時に、訪問先選択部１３は業者端末１０に訪問先選択画面を表示する。
【００７１】
また、取引業者は、医療施設を退館する時に医療施設に滞在している間（退館する前）に訪問した訪問先を訪問テーブル１５０に追加することができる。
取引業者が医療施設を退館する時に、図１５に示した訪問先追加画面上で訪問先追加ボタンをタップした場合にも、業者端末１０の訪問先受付部１７は図１８に示した訪問先受付画面を表示する。
取引業者が、訪問先受付画面上で上述した図２１に示すように項目を入力し、追加ボタンをタップすると、訪問先受付部１７は受け付けた訪問情報を情報管理サーバ１００Ａに送信する。情報管理サーバ１００Ａの訪問情報管理部１０３は、業者端末１０から送信された訪問情報を訪問テーブル１５０に格納する。ただし、この場合、取引業者は医療施設に滞在している間に訪問した訪問先を追加する。このため、訪問情報管理部１０３は、訪問テーブル１５０に格納される訪問情報に含まれる予約１５９に「未」を設定するが、選択１６０に「有」を設定する。
【００７２】
例えば、業者端末１０を使用する取引業者がＡＢＣ製薬株式会社の春野昭夫である場合、図３の取引業者テーブル１２０に示すように、会社ＩＤ１２１＝０００１および取引業者ＩＤ１２３＝０００１である。また、追加された訪問先が新関越大学病院の脳神経外科に勤務する芦田博である場合、図４の職員テーブル１３０に示すように、施設ＩＤ１３１＝０００１および職員ＩＤ１３３＝０１３２である。この場合、図２５の訪問先受付画面のように入力されると、図２６の訪問テーブル１５０の例に示すように、会社ＩＤ１５１＝０００１、取引業者ＩＤ１５２＝０００１、施設ＩＤ１５３＝０００１、訪問先１５４＝脳神経外科、職員ＩＤ１５５＝０１３２、日時１５６＝「２０２０年３月３日、１８：００〜１８：３０」、目的１５７＝薬剤の情報提供、補足１５８＝薬剤名、予約１５９＝「未」、選択１６０＝「有」の訪問情報が登録される。
【００７３】
上述したように取引業者によって図２１の訪問先受付画面上で追加ボタンがタップされたとき、同時に、訪問先追加部１８は業者端末１０に図２７に示す訪問先追加画面を表示する。図２７の訪問先追加画面は、図１５の訪問先追加画面に対し、訪問日時＝１８：００〜１８：３０、訪問先（所属）＝脳神経外科、訪問先（職員名）＝芦田博が追加されている。取引業者が図２７の訪問先追加画面上で訪問先入力済み確認用のチェックボックスにチェックマークを入力し、完了ボタンをタップすると、訪問先追加部１８は、業者端末１０に図１２に示した電子名札更新画面を表示する。
【００７４】
図２８は、電子名札２０の表示を更新する処理の変形例の流れを示す。
本変形例では、入退館画面は、入館・更新手続きボタンではなく、入館手続きボタンを有する。取引業者は、医療施設に入館するときに入館手続きボタンをタップすることにより、入館時にのみ電子名札２０のディスプレイを図１３または図１４の表示に更新することができる。
本変形例では、情報管理サーバにおいて滞在情報作成部１０４は無くてもよい。情報管理サーバは、登録部１０１と担当施設リスト作成部１０２と訪問情報管理部１０３とを有していればよい。また、業者端末１０において、訪問先選択部１３と滞在情報取得部１４と訪問先受付部１７と訪問先追加部１８とは無くても良い。業者端末１０は、入退館部１１と医療施設特定部１２Ａと表示情報作成部１５と表示情報送信部１６を有していればよい
【００７５】
取引業者が業者端末１０の入退館画面上で入館手続きボタンをタップする（Ｓ３１）と、医療施設特定部１２Ａは担当施設リスト要求を情報管理サーバ１００Ａに送信する。情報管理サーバ１００Ａの担当施設リスト作成部１０２は、業者端末１０から担当施設リスト要求を受信すると、その取引業者によって担当される各施設名のリスト（各医療施設のリスト）を作成し、業者端末１０に送信する（Ｓ１２）。
【００７６】
業者端末１０の医療施設特定部１２Ａは、情報管理サーバ１００Ａから各医療施設のリストを受信すると、業者端末１０に図９の入館手続き画面を表示し、取引業者に各医療施設のリストを提示する。医療施設特定部１２Ａは、取引業者に、入館手続き画面上で入館する医療施設に対応する入館ボタンをタップさせることにより、リストに含まれる各医療施設の中から取引業者が滞在している医療施設を選択させる（Ｓ１３）。医療施設特定部１２Ａは、選択された医療施設の指定を含む訪問情報要求を情報管理サーバ１００Ａに送信する。同時に、医療施設特定部１２Ａは、業者端末１０に図１２に示す電子名札更新画面を表示する。
なお、本変形例における訪問情報要求は本発明における予約判別情報要求の例である。
【００７７】
情報管理サーバ１００Ａの訪問情報管理部１０３は、訪問情報要求を受信したことに応答して、取引業者が当日中に訪問できる訪問先１５４を示す訪問情報を訪問テーブル１５０から読み出す（Ｓ１４）。訪問情報管理部１０３は、読み出した訪問情報の全部または一部を取引業者の業者端末１０に送信する。業者端末１０の表示情報作成部１５は、情報管理サーバ１００Ａによって送信された訪問情報を受信する。
なお、本変形例における訪問情報の全部または一部は、業者端末１０を携帯している取引業者が面会の予約を有してまたは面会の予約無しに予約判別情報要求で指定される医療施設に滞在していることを示す本発明の予約判別情報の例である。
【００７８】
取引業者が電子名札更新画面上で更新ボタンをタップすると、業者端末１０の入退館部１１は業者端末１０に入退館画面を再び表示する（Ｓ１７）。
業者端末１０の表示情報作成部１５は、受信した訪問情報の全部または一部に基づいて面会の予約の有無を示す表示情報を作成する（Ｓ３２）。そして、表示情報送信部１６は、作成された表示情報を電子名札２０に無線で送信する。電子名札２０は、受信した表示情報に従ってディスプレイの表示を更新する（Ｓ２０）。
【００７９】
なお、図６の訪問テーブル１５０に格納されているその取引業者が滞在中（入館中）である医療施設についての各訪問情報の中に１つでも面会の予約有りを示す訪問情報が含まれている場合には、電子名札２０のディスプレイの表示は、面会の予約を有して医療施設に滞在していることを示す図１３の表示となる。また、訪問テーブル１５０に格納されているその取引業者が滞在中（入館中）である医療施設についての訪問情報が全て面会の予約無しを示す場合には、電子名札２０のディスプレイの表示は、面会の予約無しに医療施設に滞在していることを示す図１４の表示となる。
【００８０】
取引業者が入退館画面上で退館手続きボタンをタップする（Ｓ３３）と、業者端末１０の表示情報作成部１５は業者端末１０に図１２に示した電子名札更新画面を表示する。電子名札更新画面上で更新ボタンがタップされると、入退館部１１は業者端末１０に再び入退館画面を表示する。このとき同時に、業者端末１０の表示情報作成部１５は、取引業者が退館した（どの医療施設にも滞在していない）ことを示す表示情報を作成する（Ｓ２４）。そして、業者端末１０の表示情報送信部１６は、作成された表示情報を電子名札２０に無線で送信する。電子名札２０は、受信した表示情報に従ってディスプレイの表示を図１６の表示に更新する（Ｓ２０）。
【００８１】
図２９は、本発明の第２の実施形態に係る取引業者情報表示システム２の構成の一例を示す。
取引業者情報表示システム２は、複数の業者端末１０と、複数の電子名札２０と、複数の会社端末３０と、複数の職員端末４０と、複数の施設端末５０と、管理者端末６０と、情報管理サーバ１００Ｂとを有する。
本実施形態で使用される業者端末１０は、Ｂｌｕｅｔｏｏｔｈおよび／またはＧＰＳ（Ｇｌｏｂａｌ  Ｐｏｓｉｔｉｏｎｉｎｇ  Ｓｙｓｔｅｍ）を搭載している。業者端末１０は、ネットワーク２００を介して情報管理サーバ１００Ｂと通信可能である。
会社端末３０と職員端末４０と施設端末５０と管理者端末６０も、ネットワーク２００を介して情報管理サーバ１００Ｂと通信可能である。
【００８２】
図３０は、情報管理サーバ１００Ｂの構成の一例を示す。
情報管理サーバ１００Ｂは、有線または無線でネットワーク２００に接続されている。情報管理サーバ１００Ｂは、ＣＰＵと、ＲＡＭ等で構成される主メモリと、ハードディスク等で構成される記憶部１１０とを備える。情報管理サーバ１００Ｂは、例えば、コンピュータで実現することができる。また、情報管理サーバ１００Ｂは、例えば、クラウドコンピューティングで実現することができる。
【００８３】
情報管理サーバ１００Ｂの記憶部１１０には、取引業者テーブル１２０と、職員テーブル１３０と、担当施設テーブル１４０と、訪問テーブル１５０と、位置変換テーブル１８０と、情報管理プログラム１７０Ｂとが格納されている。
情報管理サーバ１００ＢのＣＰＵが記憶部１１０から主メモリに情報管理プログラム１７０Ｂを読み出して実行することにより、登録部１０１と、訪問情報管理部１０３と、滞在情報作成部１０４と、業者端末位置特定部１０５と、医療施設判別部１０６との各部の機能が実現される。
情報管理サーバ１００Ｂは、担当施設リスト作成部１０２の代わりに、業者端末位置特定部１０５と、医療施設判別部１０６と、位置変換テーブル１８０とを有する点が第１の実施形態に係る情報管理サーバ１００Ａと異なる。その他の点では、情報管理サーバ１００Ｂは情報管理サーバ１００Ａと同一である。
【００８４】
図３１は、位置変換テーブル１８０の構成の一例を示す。
位置変換テーブル１８０は、位置変換情報を格納する。位置変換情報は、位置情報１８１と、施設ＩＤ１８２とを含む。
位置情報１８１は、各医療施設の位置を示す。業者端末１０のＢｌｕｅｔｏｏｔｈを用いたビーコン（Ｂｅａｃｏｎ）によって業者端末１０の位置が検知される場合には、位置情報１８１は例えばビーコンＩＤである。また、業者端末１０のＧＰＳを用いて業者端末１０の位置が検知される場合には、位置情報１８１は例えば地理座標である。
施設ＩＤ１８２は、各医療施設を示す識別情報である。施設ＩＤ１８２は、図４の施設ＩＤ１３１に対応する。
【００８５】
図３２は、第２の実施形態に係る業者端末１０の構成の一例を示す。
業者端末１０に入退館アプリがインストールされ、取引業者によってその入退館アプリが起動されることにより、入退館部１１と、医療施設特定部１２Ｂと、訪問先選択部１３と、滞在情報取得部１４と、表示情報作成部１５と、表示情報送信部１６と、訪問先受付部１７と、訪問先追加部１８との各部の機能が実現される。
第２の実施形態に係る業者端末１０は、医療施設特定部１２Ｂが第１の実施形態に係る業者端末１０の医療施設特定部１２Ａと異なる。その他の点では、第２の実施形態に係る業者端末１０は第１の実施形態に係る業者端末１０と同一である。
【００８６】
情報管理サーバ１００Ｂの業者端末位置特定部１０５は、業者端末１０から医療施設特定要求を受信したことに応答して、各業者端末１０の機能を利用して、各業者端末１０が位置している医療施設を特定する。
例えば、各業者端末１０の位置は、各業者端末１０のＢｌｕｅｔｏｏｔｈを用いたビーコンまたはＧＰＳによって検知される。業者端末位置特定部１０５は、各業者端末１０の位置と位置変換情報に含まれる位置情報１８１によって示される位置とに基づいて位置変換テーブル１８０から位置変換情報に含まれる施設ＩＤ１８２を取得する。業者端末位置特定部１０５は、取得した施設ＩＤ１８２によって各業者端末１０が位置している医療施設を特定する。
【００８７】
情報管理サーバ１００Ｂの医療施設判別部１０６は、業者端末位置特定部１０５によって業者端末１０が位置すると特定された医療施設がその業者端末１０を携帯する取引業者によって担当される医療施設であるか否かを担当施設テーブル１４０に格納されている担当施設情報に基づいて判別する。
具体的には、医療施設判別部１０６は、取引業者ＩＤ１４２で図５の担当施設テーブル１４０を検索し、業者端末１０を携帯する取引業者が担当する各医療施設の施設ＩＤ１４３を取得する。そして、業者端末位置特定部１０５によって特定された施設ＩＤ１８２が取得された各施設ＩＤ１４３の中に含まれている場合に、医療施設判別部１０６は、業者端末１０が位置すると特定された医療施設がその業者端末１０を携帯する取引業者によって担当される医療施設であると判別する。
そして、医療施設判別部１０６は、医療施設がその取引業者によって担当される医療施設であると判別された場合に、その医療施設を特定する医療施設特定情報を業者端末１０に送信する。
業者端末１０の医療施設特定部１２Ｂは、医療施設特定要求を情報管理サーバ１００Ｂに送信し、情報管理サーバ１００Ｂから医療施設特定情報を受信すると、受信した医療施設特定情報によって特定される医療施設を取引業者が滞在している医療施設とする。
【００８８】
第１の実施形態では、取引業者が図８の入退館画面上で入館・更新手続きボタンをタップし、業者端末１０に表示された図９の入館手続き画面上で医療施設の入館ボタンをタップすることにより、入館する医療施設を取引業者が選択した。
これに対し、第２の実施形態では、取引業者が図８の入退館画面上で入館・更新手続きボタンをタップすると、業者端末１０の医療施設特定部１２Ｂは情報管理サーバ１００Ｂに医療施設特定要求を送信する。医療施設特定部１２Ｂは、情報管理サーバ１００Ｂから医療施設特定情報を受信すると、受信した医療施設特定情報によって特定される医療施設を取引業者が滞在している医療施設とする。
取引業者情報表示システム２は、第１の実施形態に係る取引業者情報表示システム１とこの点が異なるのみである。
【００８９】
なお、上述した実施形態では業者端末１０と電子名札２０とがＢｌｕｅｔｏｏｔｈで通信する例について説明したが、本発明では業者端末１０と電子名札２０とがＮＦＣで通信することとしてもよい。その場合、例えば、取引業者は、上述した実施形態のように図１２の電子名札更新画面上で更新ボタンをタップすることの代わりに、業者端末１０と電子名札２０とを接近させたり、接触させたりすることにより、電子名札２０のディスプレイの表示を更新させることができる。この場合、業者端末１０と電子名札２０とを接近させたり、接触させたりすることが、本発明における電子名札の表示の更新指示に相当する。
【００９０】
また、上述した実施形態では、訪問テーブル１５０に格納されている訪問情報に含まれる職員ＩＤ１５５に職員ＩＤが登録されていても（すなわち、面会相手の職員が存在しても）、職員と取引業者との間で予約の合意が未定である場合には医療従事者または従業員と取引業者との面会の予約は無いとしたが、本発明では、この場合には医療従事者または従業員と取引業者との面会の予約が有るとみなすこととしてもよい。
【００９１】
また、上述した実施形態では、面会について医療従事者または従業員と取引業者との予約が有る場合に電子名札２０のディスプレイにアポイント時間を表示する例（図１３）を示したが、これに限らず、例えば、電子名札２０のディスプレイに訪問先の部署名や訪問の目的を表示することとしてもよい。また、アポイント時間を表示せず、その代わりに「アポイントがあります」と表示してもよい。
【００９２】
また、上述した実施形態では、取引業者テーブル１２０と職員テーブル１３０と担当施設テーブル１４０と訪問テーブル１５０とは情報管理サーバ１００Ａ，１００Ｂの記憶部１１０に記憶されており、登録部１０１の機能は情報管理サーバ１００Ａ，１００ＢのＣＰＵが情報管理プログラム１７０Ａ，１７０Ｂを実行することによって実現されるとしたが、面会予約サーバのような他のサービスを提供する各種サーバと情報管理サーバ１００Ａ，１００Ｂとが取引業者テーブル１２０と職員テーブル１３０と担当施設テーブル１４０と訪問テーブル１５０と登録部１０１とを共通に使用する構成とすることもできる。
【００９３】
以上説明したように、本発明によれば、医療施設を訪問中の取引業者とその医療施設に勤務する医療従事者等との面会の予約の有無を周囲の人に知らせることができる。
【００９４】
以上、本発明の実施形態について説明したが、設計または開発上の都合やその他の要因によって必要となる様々な修正や組み合わせは、請求項に記載されている発明や発明の実施形態に記載されている具体例に対応する発明の範囲に含まれる。
【符号の説明】
【００９５】
１，２…取引業者情報表示システム、１０…業者端末、１１…入退館部、１２Ａ、１２Ｂ…医療施設特定部、１３…訪問先選択部、１４…滞在情報取得部、１５…表示情報作成部、１６…表示情報送信部、１７…訪問先受付部、１８…訪問先追加部、２０…電子名札、３０…会社端末、４０…職員端末、５０…施設端末、６０…管理者端末、１００Ａ，１００Ｂ…情報管理サーバ、１０１…登録部、１０２…担当施設リスト作成部、１０３…訪問情報管理部、１０４…滞在情報作成部、１０５…業者端末位置特定部、１０６…医療施設判別部、１１０…情報管理サーバの記憶部、１２０…取引業者テーブル、１３０…職員テーブル、１４０…担当施設テーブル、１５０…訪問テーブル、１７０Ａ，１７０Ｂ…情報管理プログラム、１８０…位置変換テーブル
【要約】
【課題】医療施設を訪問中の取引業者と医療従事者等との面会の予約の有無を周囲の人に知らせる。
【解決手段】情報管理サーバ１００Ａは、医療従事者等と取引業者との面会の予約の有無を示す訪問情報が格納された訪問テーブルを備え、業者端末１０から予約判別情報要求を受信したとき、訪問テーブルの訪問情報に基づいて取引業者が面会の予約を有してまたは面会の予約無しに予約判別情報要求で指定される医療施設に滞在していることを示す滞在情報を作成して業者端末１０に送信する。業者端末１０は、取引業者が滞在している医療施設の指定を含む予約判別情報要求を情報管理サーバ１００Ａに送信し、情報管理サーバ１００Ａから予約判別情報を受信すると、受信した予約判別情報に基づいて面会の予約の有無を示す表示情報を作成し、その表示情報を電子名札２０に無線で送信する。電子名札２０は、そのディスプレイに業者端末１０から受信した表示情報を表示する。
【選択図】図１【図１】
0006757013.tif 000002
【図２】
0006757013.tif 000003
【図３】
0006757013.tif 000004
【図４】
0006757013.tif 000005
【図５】
0006757013.tif 000006
【図６】
0006757013.tif 000007
【図７】
0006757013.tif 000008
【図８】
0006757013.tif 000009
【図９】
0006757013.tif 000010
【図１０】
0006757013.tif 000011
【図１１】
0006757013.tif 000012
【図１２】
0006757013.tif 000013
【図１３】
0006757013.tif 000014
【図１４】
0006757013.tif 000015
【図１５】
0006757013.tif 000016
【図１６】
0006757013.tif 000017
【図１７】
0006757013.tif 000018
【図１８】
0006757013.tif 000019
【図１９】
0006757013.tif 000020
【図２０】
0006757013.tif 000021
【図２１】
0006757013.tif 000022
【図２２】
0006757013.tif 000023
【図２３】
0006757013.tif 000024
【図２４】
0006757013.tif 000025
【図２５】
0006757013.tif 000026
【図２６】
0006757013.tif 000027
【図２７】
0006757013.tif 000028
【図２８】
0006757013.tif 000029
【図２９】
0006757013.tif 000030
【図３０】
0006757013.tif 000031
【図３１】
0006757013.tif 000032
【図３２】
0006757013.tif 000033